(57)【特許請求の範囲】
【請求項１】
基台に固定される外枠と、
該外枠の片側側枠に揺動自在に支持された前枠と、
スピーカを備える遊技機であって、
前記スピーカと該スピーカの音響空間を構成するスピーカハウジングとを有するスピーカユニットが、前記外枠の底板と前記前枠の間に設けられ、
前記外枠には前記基台に固定される場合に貫通固定具が打ち付けられて貫通するとともに、
前記スピーカハウジングには、前記貫通固定具が前記外枠に打ち付けられる際に挿通する挿通空間が形成されており、
前記挿通空間は、スピーカハウジングの背面において、上下方向に形成された溝であることを特徴とする遊技機。
【請求項２】
前記挿通空間は並列に複数形成されており、複数の前記挿通空間の内、一部には下端開放部分を閉鎖した閉鎖部を設け、前記閉鎖部に前記底板に前記スピーカハウジングを固定するための固定具が挿通される挿通孔を形成したことを特徴とする請求項１に記載の遊技機。
【発明の詳細な説明】
【技術分野】
【０００１】
本発明は、遊技機に係り、詳しくはスピーカを下部に備えた遊技機に関するものである。
【背景技術】
【０００２】
従来の弾球遊技機では、遊技球を発射する発射装置によって投入された遊技球を遊技領域内に流下させ、遊技球が所定の入賞口へ入賞した場合には、賞球が得られる構成となっている。そして、近年の弾球遊技機の中には、始動入賞口に遊技球が入賞することを契機に、抽選が開始され、当選した場合には、通常遊技以上に遊技球が入賞しやすい特別遊技状態(いわゆる確率変動状態)に遊技状態が切り換る遊技機が提案されている。  
また、このような遊技機では、抽選を実行している間、大型表示画面に演出画像が表示され、その他装飾装置から各種演出パターンが音声や発光により、出力される機種が増加している。
【０００３】
このような弾球遊技機では、リーチ状態や確率変動状態など遊技状況に応じて演出内容が複雑となり、遊技盤内に限らず、ガラス枠等に発光ダイオード、スピーカなどの演出用装飾部材が配置される。また、遊技者に遊技内容の選択を可能とするための選択ボタン等も配置され、限られた配置スペース内に多数の演出用部材等が配置された構成となっている。  
このような事情の下、外枠の底板に設けられ、遊技機本体との間に設けられた幕板にスピーカが配置された構成が提案されている。
【特許文献１】特開２００５−６５９９４号
【発明の開示】
【発明が解決しようとする課題】
【０００４】
スピーカは、スピーカハウジング内の反響空間の容積をより広く取ることによって、より低域の音圧をより大きく出力することができる。このように、低域の音圧を増大させるためには、スピーカハウジングの容積を大きくすることが好ましい。しかしながら、外枠の底板は、本来遊技機を基台に設置するための構成要素であるため、釘や木ネジによって、底板を基台に固定する必要があり、釘等を打ち付ける領域を確保するために、スピーカハウジングの容積を十分に拡張することはできないという問題があった。また、前記釘打ちのために確保された領域は、釘打ちの際に多大な衝撃が加わるため、電子基板やその他の構成部材などを設けることもできないといった問題もあった。
【０００５】
この発明の目的は、スピーカハウジングの一部に釘等を挿入し得る空間を確保し、かつ外枠の底板上部の空間を有効活用した遊技機を提供することにある。
【課題を解決するための手段】
【０００６】
以上のような問題を解決する本発明は、以下のような構成を有する。 
（１）基台に固定される外枠と、
該外枠の片側側枠に揺動自在に支持された前枠と、
スピーカを備える遊技機であって、
前記スピーカと該スピーカの音響空間を構成するスピーカハウジングとを有するスピーカユニットが、前記外枠の底板と前記前枠の間に設けられ、
前記外枠には前記基台に固定される場合に貫通固定具が打ち付けられて貫通するとともに、
前記スピーカハウジングには、前記貫通固定具が前記外枠に打ち付けられる際に挿通する挿通空間が形成されており、
前記挿通空間は、スピーカハウジングの背面において、上下方向に形成された溝であることを特徴とする遊技機。
【０００７】
（２）前記挿通空間は並列に複数形成されており、複数の前記挿通空間の内、一部には下端開放部分を閉鎖した閉鎖部を設け、前記閉鎖部に前記底板に前記スピーカハウジングを固定するための固定具が挿通される挿通孔を形成したことを特徴とする遊技機。
【０００８】
（３） 前記挿通空間は、上下方向に形成され、前記挿通固定具の挿通可能な横断面形状を有する貫通孔である遊技機。
【０００９】
（４） 前記挿通空間の横断面形状は、スリット形状である遊技機。
【００１０】
（５） 前記挿通固定具は釘であって、挿通空間は釘の胴より広く、釘頭より狭く構成されている遊技機。
【００１１】
（６） 前記挿通空間周縁部において、前記スピーカハウジングより強度の高い保護部が設けられている遊技機。
【発明の効果】
【００１２】
請求項１に記載の発明によれば、スピーカハウジングに貫通固定具を挿通させる挿通空間を形成することにより、スピーカハウジングの背面側の空間を有効活用することができる。例えば、スピーカハウジングを底板の背面方向に拡張することが可能となり、貫通固定具の配置領域を確保しつつ、スピーカハウジングで形成される音響空間を拡張することができる。また、挿通空間が溝形状であるため、スピーカハウジングに挿通空間を容易に形成することができる。釘等の貫通固定具は、従来固定用に使用されていたものを使用することが可能となる。さらに、背面側が開放されているので、貫通固定具を打ち込むための工具を、底板まで打ち込むことができる。
【００１３】
さらに、挿通空間を貫通孔とすることにより、貫通孔に沿って貫通固定具を挿入することで、打ち込み時の貫通固定具の姿勢を適正な姿勢に支持することが容易となる。また、貫通固定具が挿通できる容積のみをスピーカハウジングの容積から削れば済むので、スピーカハウジングの容積を効率良く音響空間として利用することができる。
【００１４】
また、挿通空間が長孔形状であるため、貫通固定具の打ち込み位置を、長孔の形成されている範囲内で、任意に選択することができる。 
さらに、挿通空間に釘を打ち込むことによって、釘頭は、スピーカハウジングを底板と共に基台に固定する作用を生じ、スピーカハウジングを固定するための固定構造を省略することができる。 
また、挿通空間周縁部にスピーカハウジングより強度の高い保護部が設けられているので、挿通空間内の貫通固定具を打撃する際の衝撃を保護部が主として負担し、該衝撃により貫通固定具周囲のスピーカハウジングが破損されることが抑制される。
【発明を実施するための最良の形態】
【００１５】
図１は、本実施形態における遊技機を示す図である。以下、本明細書において、遊技機の遊技者が配置される側を正面、前面又は前側として表現し、遊技者の配置位置に対して反対側を背面、後面又は後側とし、図１に示されているような正面視において、左右方向をＹ軸方向、前後方向をＸ軸方向、鉛直方向をＺ軸方向と定義し、右方向をＹ軸方向の正方向、前側から後側へ向かう方向をＸ軸方向の正方向、鉛直下方へ向かう方向をＺ軸の正方向と定義する。
【００１６】
図１において弾球遊技機１００は、外郭方形枠サイズに形成されて縦長の固定保持枠を構成する外枠１０の開口前面に、外枠１０に合わせて方形枠サイズに形成された開閉搭載用の前枠２を備えている。  
前枠２は、外枠１０の正面左側上下に取り付けられたヒンジ金具３Ａ、３Ｂにより外枠１０に対して開閉可能に取り付けられ、さらに、外枠１０の正面右側に設けられた施錠装置１２によって閉鎖状態に保持されるようになっている。
【００１７】
前枠２には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて形成された略円形状の遊技領域６が設けられている。  
遊技領域６には、略中央部に表示装置として液晶表示装置で構成された表示部６ａが設けられている。この表示部６ａは、各種表示装置を兼ねており、図柄変動表示装置６ｊや普通図柄変動表示装置２６４ｄとしての機能を備える。表示部６ａの周りには装飾部材６Ｂや、始動入賞口６ｃ、および特別入賞口６ｄ、その他入賞口６ｋなどがそれぞれ配置されている。遊技領域下部にはアウト球を回収するアウト口６ｅも設けられており、始動入賞口６ｃや特別入賞口６ｄに入賞せずに落下したアウト球を遊技盤３の背面側から機外に排出できるようになっている。
【００１８】
また、前枠２の前面上部側には、遊技盤３を視認できるように透明なガラス盤を備えたガラス枠７０が水平方向に開閉可能かつ着脱可能に設けられ、通常は、施錠装置１２により閉鎖状態に保持されて遊技盤３の前面を覆っている。  
前枠２の前面下部側でガラス枠７０の下方には、皿ユニット７０１が、前枠２に開閉支持されている背面板に取り付けられて設けてある。皿ユニット７０１は、図示しないロック機構により通常、遊技盤３に沿った状態で保持されている。皿ユニット７０１は、球受け皿を構成している球貯留部７０１ａと、球貯留部７０１ａの正面左側下部に設けられた灰皿７０１ｂと、球貯留部７０１ａの正面右側下部に設けられた発射ハンドルＨと、ボタン７０１ｄとを有している。
【００１９】
また、図２に示すように、皿ユニット７０１の背後には、前枠２の後側に遊技補助盤が形成されており、ここに発射ハンドルＨの回動操作（回動角度位置）に応じて遊技球を打ち出す遊技球発射装置の発射機構部が設けられている。また、皿ユニット７０１の背後には、賞球の払出し等を行うための球搬出装置２５ｄ（図１０参照）から払い出された遊技球のうち、球貯留部７０１ａに排出し切れない遊技球を一時貯留する貯留ケース、遊技球発射装置によって打ち出された遊技球のうち、遊技領域６に到達できずに戻ってきたファール球を、貯留ケースを介して球貯留部７０１ａに回収処理するファール球回収通路などが設けられている。
【００２０】
図２に示されているように、遊技盤３の裏側には、裏セット盤２０が着脱可能に取り付けられている。裏セット盤２０には、遊技球を貯留する球貯留タンクや、遊技盤３における入賞状態に基づいて遊技球を払い戻す球搬出装置、この球搬出装置から払い戻された遊技球を貯留ケースに導く払出通路などの賞球機構が設けられている。また、裏セット盤２０の裏面側に、電源基板や発射制御基板、主制御基板、払出制御基板、ランプ・音声制御基板などの各種回路基板が取り付けられ、これら回路基板と電気・電子部品とは、ワイヤーハーネスで接続されて、遊技可能に構成される。  
以上のような構成された弾球遊技機１００は、外枠１０の底板１０Ｂを貫通する貫通固定具としての釘を基台ＢＳに打ちつけることにより、基台ＢＳ上に固定される。
【００２１】
弾球遊技機１００は、ガラス枠７０、皿ユニット７０１などが閉鎖施錠された状態で遊技に供され、球貯留部７０１ａに遊技球を貯留させて発射ハンドルＨを回動操作することにより遊技が開始される。すなわち、図１中に太線矢印で示すように発射ハンドルＨが回動操作されると、球貯留部７０１ａに貯留された遊技球が１球ずつ発射機構部に送り出され、発射機構部の打球杵により遊技領域６に打ち出され、パチンコゲームが展開される。  
このように遊技球発射装置は、遊技者が遊技領域６内の所定位置に遊技球が打ち出せるように、遊技者自身が発射強度を調整可能に構成されていると共に、上述した発射ハンドルＨがその調整装置になっている。
【００２２】
上記のように、前枠２、遊技盤３の正面側に設けられた遊技領域６、表示部６ａ、各種入賞口、ガラス枠７０、皿ユニット７０１、背面側に設けられた制御基板等により遊技機本体３００が構成される。このような遊技機本体３００は、外枠１０内に支持されるが、遊技機本体３００と、外枠１０を構成する底板１０Ｂの間に、スピーカ４１を有するスピーカハウジング４が配置されている。スピーカ４１からは、遊技の展開状態に応じた効果音が出力される。図３に示されているように、本実施形態におけるスピーカハウジング(エンクロージャ)４は、バスレフ型が採用され、ダクト４２が設けられている。このダクト４２は、スピーカ４１が設けられている正面側と同じ側(正面側)に、開口４２１を有している。上記スピーカ４１とスピーカハウジング４とによってスピーカユニットが構成される。
【００２３】
図４は、スピーカハウジング４のＡ−Ａ断面図である。スピーカハウジング４内には、スピーカ４１の背面から出る音を響かせる反響空間４３が形成されている。反響空間４３の容積を広く採るほど、スピーカ４１からの遊技者に伝わる音圧が大きくなるため、スピーカハウジング４の背面側端面４４は、底板１０Ｂの背面側端辺１０ｂＢに達している(同一平面内に位置する)。但し、スピーカハウジング４の背面側端面４４は、底板１０Ｂの背面側端辺１０ｂＢと同一平面内に、必ずしも位置している必要はなく、背面側端辺１０ｂＢに近接して設けられていてよい。例えば、背面側端面４４は、底板１０Ｂの背面側端辺１０ｂＢより背面側に若干突出していてもよく、或いは正面側に位置していてもよい。但し、外枠１０は、遊技機本体３００を保護する作用もあり、スピーカハウジング４は、外枠１０より背面側に突出していないことが好ましい。図４に示されているように、本実施形態では、外枠の奥行き以内に収まっている。また、スピーカハウジング４が十分な強度を有するものであるならば、突出して構成されていてもよい。この場合には、より多くの反響空間を確保することが可能となる。さらに、スピーカハウジング４の底面には、下側に突出する突出部４５が形成されている。
【００２４】
一方、スピーカハウジング４を底板１０Ｂの背面側端辺１０ｂＢへ拡張しない構成を採った場合には、スピーカハウジング４の背面側に、釘打ちの必要のない空間が存在することとなり、電子基板やその他の構成要素や構成部材を配置するためのスペースとして有効活用することができる。  
スピーカハウジングの背面側端面は、該底板の背面側端辺に近接しているとは、スピーカハウジングの背面側端面４４と底板１０Ｂの背面側端辺１０ｂＢとの間に、後述する貫通固定具としての釘Ｋを打ち付け得る程度の領域が取れない程度に近接していることを意味する。
【００２５】
図５は、スピーカハウジング４の全体斜視図である。スピーカハウジング４の底面部には、下方に突出した突出部４５が形成されており、この突出部４５は、底板１０Ｂに形成された凹部１０１Ｂに嵌まり込む構成となっている。このような構成は、突出部４５によって、反響空間の容積を更に拡張することができる。また、突出部４５と凹部１０１Ｂの嵌め合いによって、底板１０Ｂに対するスピーカハウジング４の前後(Ｘ軸)方向、左右（Ｙ軸）方向又は前後左右(Ｘ軸Ｙ軸)方向の位置決めをすることが可能となる。図５に示されている例では、凹部１０１Ｂの正面側が開放されているので、左右方向に位置決めされている。凹部１０１Ｂが上方にのみ開放する穴である場合には、前後左右(Ｘ軸Ｙ軸)方向の位置決めが可能となる。  
スピーカハウジング４の背面側端面４４には、上下方向に挿通空間としての溝４６が複数個、ほぼ等間隔に形成されており、溝４６の下端には、底板１０Ｂの上面が露出する構成となっている。
【００２６】
この底板１０Ｂの露出部分に釘Ｋを打ち付けることにより、釘Ｋは、底板１０Ｂを貫通して基台ＢＳに達し、底板１０Ｂを基台ＢＳに固定することができる。また、複数の溝４６の内、一部には下端開放部分を閉鎖した閉鎖部４６１を設け、挿通孔４６２を形成した構成としてもよい。この挿通孔４６２に、ネジ釘Ｋｍを挿通させ、底板１０Ｂに螺入させることにより、底板１０Ｂにスピーカハウジング４を固定する構成とすることができる。  
以上のように、溝４６を形成することで、スピーカハウジング４の背面側端面を底板１０Ｂの背面側端辺１０ｂＢまで拡張し、反響空間を拡大することが可能となる。
【００２７】
図６は、図３におけるＢ−Ｂ断面図である。ダクト４２は、スピーカハウジング４内の反響空間４３内に位置する開口４２２と、スピーカハウジング４の正面側に位置する開口４２１とを備える。このダクト４２により、ヘルムホルツ共鳴を利用したバスレフ型スピーカシステムが構成される。なお、この実施形態の他、スピーカハウジング４には、ダクトを設けず、密閉型スピーカシステムとしてもよい。  
図７は、スピーカハウジング４の他の構成を示す斜視図である。このスピーカハウジング４には、釘Ｋが挿通する挿通空間として上下方向に形成された貫通孔４７が形成されている。この貫通孔４７は、横断面形状が背面側端面に沿って延びた長孔に形成された、いわゆるスリット状の孔である。
【００２８】
図８は、貫通孔４７の形成された位置におけるスピーカハウジング４の部分断面側面図である。貫通孔４７の幅は、釘Ｋの胴部分Ｋ１の径より大きく、釘頭Ｋ２の径より小さい長さに形成されている。このような構成とすることにより、貫通孔４７に挿入された釘Ｋは、底板１０Ｂを打ち抜いて基台に達し、釘頭Ｋ２は、スピーカハウジング４の貫通孔４７上端部に当接する。これにより、釘Ｋは、基台に対して底板１０Ｂとスピーカハウジング４を同時に固定することとなる。また、貫通孔４７は、左右方向に沿って形成されたスリットであるため、釘Ｋの打ち込み位置を、貫通孔４７の形成されている範囲内で、任意に選択することができる。また、貫通孔４７がスリット状であるため、釘Ｋの打ち込みのみでは、スピーカハウジング４の左右(Ｙ軸)方向の位置決めをできないが、図５に示されているように、凹部１０１Ｂと、突出部４５との嵌め合いにより、左右(Ｙ軸)方向は位置決めされている。
【００２９】
なお、貫通孔４７を形成する部材は、スピーカハウジング４を構成する部材に比較して、剛性の高い材質で構成された保護部材４７１により構成されている。スピーカハウジング４を保護する保護部としての保護部材４７１は、スリット状の貫通孔４７を形成する管状部４７１ｂと、管状部４７１ｂの上端部（挿入口）の外側に形成されたフランジ部４７１ａとを備えている。管状部４７１ｂ上端のフランジ部４７１ａは、スピーカハウジング４の上面に露出し、その露出面の幅は、釘Ｋを打ち込んだ際、釘頭Ｋ２よりも外側に露出する程度の幅に形成されている。
【００３０】
また、管状部４７１ｂの下端は、底板１０Ｂに当接している。フランジ部４７１ａに加えられた衝撃は、管状部４７１ｂを介して底板１０Ｂに伝達され、衝撃がスピーカハウジング４に直接伝わらないように構成されている。このため、保護部材４７１は、釘Ｋを槌で打ち込んだ際の衝撃に耐えうる強度を有し、少なくとも、スピーカハウジング４を構成する材料よりも強度の高い材料で構成されている。このような構成とすることで、釘打ち込みの際にスピーカハウジング４が破損することが抑制される。また、保護部材４７１は、上記構成の他、釘を打ち込む槌が直接接触する上面露出部分（例えば、フランジ部４７１ａの部分）にのみ設けられていてもよい。これにより、少なくとも槌との接触部分の破損が抑制される。
【００３１】
以上説明した、図８に示されている構成の他、スピーカハウジング４の外側に保護部材４７１が被覆された構成であってもよい。或いは、上記のように、スピーカハウジング４とは別個に形成された保護部材４７１により保護部を構成する構成例の他、貫通孔４７の周囲を、他の部分より強度の高い材料組織とする構成としてもよい。例えば、スピーカハウジング４を金属で構成し、貫通孔４７の周囲のみを加熱し、焼入れする。又は、スピーカハウジング４をプラスチック等の樹脂で構成し、貫通孔４７の周囲の部分にのみ繊維を混入させ、部分的に強化する等の構成としてもよい。更には、貫通孔４７を構成する部分のみ厚肉に構成してもよい。  
なお、保護部は、貫通孔４７の周囲の他、図４における溝４６の内周壁部分を保護部としてもよい。この場合、釘を打ち込む際、スピーカハウジング４を誤って打撃してしまった場合の破損を抑制することができる。
【００３２】
図９は、貫通孔４７の他の構成を示す、貫通孔４７Ａの平面図である。貫通孔４７Ａのスリット幅を、釘Ｋの釘頭Ｋ２より狭い狭幅部分４７２と、ネジ釘Ｋｍの釘頭よりも広い広幅部分４７３とを設け、適宜必要に応じて使用する構成としてもよい。この構成において、広幅部分４７３では、ネジ釘Ｋｍを広幅部分４７３で使用した場合、底板１０Ｂのみを基台に固定する。この際、ネジ釘Ｋｍを操作するドライバーは、貫通孔４７Ａに挿入された状態で使用される。ドライバーは貫通孔４７Ａによって、垂直な状態を維持し易くなり、操作が容易となる。貫通孔の狭幅部分４７２と、広幅部分４７３は、つなげることなく、別個に設けてもよい。  
この他、反響空間４３による効果が顕著となるので、スピーカ４１は、低音域を出力するスピーカであることがより好ましい。さらに、低音域スピーカは、指向性が少ないため、遊技者の耳から遠い遊技機下部配置されるスピーカとしては、より好ましい。
【００３３】
次に、本遊技機における遊技制御を行う遊技制御手段について説明する。図１０において、遊技制御手段２００は、遊技の進行や演出等を含む弾球遊技機１００全体を統括制御する手段である。遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。遊技制御手段２００は、遊技盤３の背面側に設けられた制御基板上に設けられている。ここで、遊技制御手段２００は、１つの制御基板上に限らず、既述のように複数の制御基板上にわたって設けられていても良い。遊技制御手段２００は、本実施形態では、以下の各手段を備える。
【００３４】
（入賞球検出手段）
入賞球検出手段２１は、入賞口６ｋ、始動入賞口６ｃ及び特別入賞口６ｄに遊技球が入賞したときに、その入賞を検出するものである。これらの入賞口６ｋ、始動入賞口６ｃ及び特別入賞口６ｄには、それぞれ、入賞口センサ５ｓ、始動入賞口センサ６ｃｓ及び特別入賞口センサ６ｄｓが設けられ、それぞれ入賞球検出手段２１に電気的に接続されている。
【００３５】
(抽選手段)
抽選手段２２は、入賞球検出手段２１により、始動入賞口６ｃへの遊技球の入賞が検出されたことを条件として、可変表示手段である図柄変動表示装置６ｊに表示する停止図柄に関する抽選を行うものであり、本実施形態では、▲１▼当選／非当選の有無、▲２▼図柄変動表示装置６ｊの図柄の変動表示後の停止図柄、及び▲３▼図柄の変動表示中の変動パターンの抽選を行う。抽選手段２２は、これらの▲１▼〜▲３▼の抽選を行うべく、当たり抽選手段２２ａと、停止図柄抽選手段２２ｂと、変動パターン抽選手段２２ｃとを備える。
【００３６】
（当たり抽選手段）
当たり抽選手段２２ａは、本実施形態では、当たり判定用乱数発生手段と、当たり判定用乱数取得手段と、当たり判定手段とを備える。  
当たり判定用乱数発生手段は、制御プログラム等によって所定の周期（例えば、１６ビット乱数による０〜６５５３５の周期）を有する当たり判定用乱数を発生させる。当たり判定用乱数取得手段は、当たり判定用乱数発生手段によって発生した当たり判定用乱数のうち１の当たり判定用乱数を、所定の時、本実施形態では始動入賞口センサ６ｃｓから送信された検出信号を入賞球検出手段２１が受信した時に取得する。  
当たり判定手段は、当たり判定用乱数取得手段により取得された当たり判定用乱数に基づいて、当選であるか非当選であるかを判定する。  
当選又は非当選の判定結果に基づいて、後述する演出制御手段２７にコマンドを送る。
【００３７】
（停止図柄抽選手段）
停止図柄抽選手段２２ｂは、当たり抽選手段２２ａの当たり判定手段の判定結果に基づいていて、図柄変動表示装置６ｊに停止表示すべき停止図柄を抽選するものである。  
(変動パターン抽選手段)
変動パターン抽選手段２２ｃは、図柄変動表示装置６ｊに表示すべき図柄の変動パターンを抽選するものである。  
当たり抽選手段２２ａの当たり判定手段での判定手段での判定結果に基づいて、複数種類の図柄の変動パターンを記憶したデータテーブルを参照して、いずれか１つの変動パターンを選択する。
【００３８】
(図柄表示制御手段)
図柄表示制御手段２３は、始動入賞口６ｃへの遊技球の入賞により、入賞球検出手段２１が検出信号を受信したことを条件として、図柄変動表示装置６ｊの図柄の変動表示及び停止表示を行うように制御するものである。  
（特別遊技制御手段）
特別遊技制御手段２４は、当たり抽選手段２２ａの当たり判定用乱数取得手段により取得された当たり判定用乱数が当選であり、当選図柄変動表示装置６ｊにより停止表示された図柄が当選図柄(例えば「７７７」)となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口駆動装置6ddが作動されて、特別入賞口６ｄが開放され、遊技球を受け入れ易い状態になることで、それまで以上に賞球の獲得が期待できる遊技である。
【００３９】
（球搬出制御手段）
球搬出制御手段２５は、賞球の払出し等を行うための球搬出装置２５ｄの駆動を制御するものである。上述したように、始動入賞口センサ５７及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球を弾球遊技機１の皿７０１ａに払い出す。
【００４０】
（普通図柄制御手段）
普通図柄制御手段２６は、上述した普通図柄変動表示装置２６４ｄの変動表示及び停止表示を制御するためのものであり、以下の各手段を備える。  
（入球検出手段）
入球検出手段２６２は、普通図柄始動口６ｉを遊技球が通過したときに、それを検出するものである。  
普通図柄始動口６ｉを遊技球が通過すると、普通図柄始動口センサ６ｉｓから、そのときの検出信号が入球検出手段２６２に送信される。この検出信号を受信したときに、入球検出手段２６２は、普通図柄始動口６ｉを遊技球が通過したことを検出する。
【００４１】
（普通図柄抽選手段）
普通図柄抽選手段２６３は、普通図柄始動口６ｉを遊技球が通過したことを条件として、普通図柄変動表示装置２６４ｄに停止表示すべき図柄を抽選によって決定するものである。  
普通図柄抽選手段２６３は、上述した当たり抽選手段２２ａと同様に、当たり判定用乱数発生手段と当たり判定用乱数値取得手段と、当たり判定手段とを備える。
【００４２】
（普通図柄変動制御手段）
普通図柄変動制御手段２６４は、普通図柄変動口６ｉを遊技球が通過したときに、普通図柄抽選手段２６３の抽選結果に基づいて、普通図柄変動表示装置２６４ｄの図柄の変動表示及び停止表示を行うように制御するものである。  
普通図柄変動制御手段２６４は、普通図柄変動表示装置２６４ｄの図柄を所定時間変化させ後、最終的には普通図柄抽選手段２６３によって決定された図柄を普通図柄変動表示装置２６４ｄに停止表示させる。
【００４３】
（球誘導装置制御手段）
球誘導装置制御手段２６５は、普通図柄抽選手段２６３の抽選結果に基づいて、球誘導装置２６５ｄの作動を制御するものである。具体的には、普通図柄抽選手段２６３による抽選で当選したときは、球誘導装置２６５ｄを作動させるように制御する。これと逆に、普通図柄抽選手段２６３による抽選で非当選であったときは、球誘導装置２６５ｄを作動させない。
【００４４】
（演出制御手段）
演出制御手段２７は、図柄変動表示装置６ｊに表示される演出画像、スピーカ４１に出力される演出音声等を制御する。演出制御手段２７は、当たり抽選手段２２ａの抽選結果に基づき、変動パターンが選択され、選択された変動パターンにより、図柄変動表示装置６ｊに表示される演出画像が選択され、これが表示される。また、選択された演出画像に応じた音声をスピーカ４１から出力される。
【図面の簡単な説明】
【００４５】
【図１】弾球遊技機の全体正面図である。
【図２】弾球遊技機の全体斜視図である。
【図３】スピーカハウジングの正面全体図である。
【図４】スピーカハウジングのＡ−Ａ断面図である。
【図５】スピーカハウジングの全体斜視図である。
【図６】スピーカハウジングのＢ−Ｂ断面図である。
【図７】他の構成例を示すスピーカハウジングの全体斜視図である。
【図８】同じくスピーカハウジングの断面部分側面図である。
【図９】貫通孔の他の構成を示す平面図である。
【図１０】遊技制御手段の構成を示すブロック図である。
【符号の説明】
【００４６】
１００  弾球遊技機
１０  外枠
１０Ｂ  底板
１０ｂＢ  背面側端辺
１２  施錠装置
２  前枠
３  遊技盤
３Ａ、３Ｂ  ヒンジ金具
４  スピーカハウジング
４１  スピーカ
４２  ダクト
４３  反響空間
４６  溝
４７  貫通孔
６  遊技領域
６ａ  表示部
６ｃ  始動入賞口
６ｄ  特別入賞口
７０  ガラス枠
７０１  皿ユニット
７０１ａ  球貯留部
７０１ｂ  灰皿
Ｋ  釘
【図１】
0005088782.tif 000002
【図２】
0005088782.tif 000003
【図３】
0005088782.tif 000004
【図４】
0005088782.tif 000005
【図５】
0005088782.tif 000006
【図６】
0005088782.tif 000007
【図７】
0005088782.tif 000008
【図８】
0005088782.tif 000009
【図９】
0005088782.tif 000010
【図１０】
0005088782.tif 000011